(57)【要約】【課題】略同心円のピッチ円上にそれぞれ配置されたスリットからなるノックアウトであって、内径側の孔を形成する際、内周側のスリットと外径側のスリットとの間の環状部分の変形を抑えることができる空気調和機室外機のノックアウト構造を得る。【解決手段】空気調和機室外機の筐体を形成する外郭正面パネルに形成されるノックアウト構造２０１は、中心を「Ｏ（オー）」とする内周ピッチ円１ｐ上に形成された半円状の内周スリット１ａ、１ｂと、中心を「Ｏ（オー）」とする外周ピッチ円２ｐ上に形成された半円状の外周スリット２ａ、２ｂと、によって形成され、内周スリット１ａと内周スリット１ｂとの間には内周接続部１ｕ、１ｖが形成され、外周スリット２ａと外周スリット２ｂとの間には外周接続部２ｕ、２ｖが形成され、内周接続部１ｕ、１ｖと外周接続部２ｕ、２ｖとは、円周方向で９０°位相が相違している。【選択図】図２
2013088090.tif 000002
【特許請求の範囲】
【請求項１】
空気調和機室外機の筐体側面に形成され、略同心円の複数のピッチ円上にそれぞれ配置されたスリットからなるノックアウトであって、
前記複数のピッチ円のうちの所定のピッチ円における前記スリット同士の間に形成された接続部と、前記ピッチ円の外周側または内周側に位置するピッチ円における前記スリット同士の間に形成された接続部との位相が、円周方向で相違することを特徴とする空気調和機室外機のノックアウト構造。
【請求項２】
前記接続部の円周方向の長さは、より外周側のピッチ円におけるものになるほど長いことを特徴とする請求項１記載の空気調和機室外機のノックアウト構造。
【請求項３】
前記スリットの数は、より外周側のピッチ円におけるものになるほど多いことを特徴とする請求項１記載の空気調和機室外機のノックアウト構造。
【請求項４】
空気調和機室外機の筐体側面に形成され、中心が略一致した複数の多角形状の環状ピッチ線上に配置されたスリットからなるノックアウトであって、
前記複数の環状ピッチ線のうちの所定の環状ピッチ線における前記スリット同士の間に形成された接続部と、前記環状ピッチ線の外周側または内周側に位置する環状ピッチ線における前記スリット同士の間に形成された接続部との位相が、環状の周方向で相違することを特徴とする空気調和機室外機のノックアウト構造。
【請求項５】
前記接続部の周方向の長さは、より外周側の環状ピッチ線におけるものになるほど長いことを特徴とする請求項４記載の空気調和機室外機のノックアウト構造。
【請求項６】
前記スリットの数は、より外周側の環状ピッチ線におけるものになるほど多いことを特徴とする請求項４記載の空気調和機室外機のノックアウト構造。
【発明の詳細な説明】
【技術分野】
【０００１】
本発明は空気調和機室外機のノックアウト構造、特に、電源ケーブルの取り出し口を形成するためのスリットを有する空気調和機室外機のノックアウト構造に関するものである。
【背景技術】
【０００２】
空気調和機の室外機（室外ユニットに同じ。本発明において「空気調和機室外機」と称す）は、冷凍サイクルを形成する圧縮機等が鋼板等の板材によって形成された筐体内に収納されている。そして、圧縮機等には電源ケーブルが接続され、筐体の側面には、電源ケーブルを取り出すための取り出し口（以下、「電源ケーブル取出口」と称す）が形成されている。
電源ケーブルの種類（外径）は圧縮機等の電気容量によって決まるため、同じ筐体を使用した室外機であっても、その内部に設置される圧縮機等の電気容量が相違する場合には、異なった外径の電源ケーブルが接続されることになる。また、電源ケーブルを保護する目的で、電源ケーブルは端部に雄ネジ部分が形成されたコンジット（電線配管）に挿入され、雄ネジ部分が電源ケーブル取出口に挿入される。そして、雄ネジに螺合するナットによって、コンジットは筐体の側面に固定されている。
このため、電気容量が相違する複数の圧縮機を収納可能にする筐体（複数の機種に共通の筐体）には、外径の相違するコンジットに対応するため、複数種類（外径）の電源ケーブル取出口が必要になる。
【０００３】
例えば、筐体に長穴（逃げ穴）を形成し、当該長穴に電源ケーブル取出口が形成された配線補助板を設置する発明が開示されている。かかる発明によれば、小径の電源ケーブル取出口が形成された配線補助板や大径の電源ケーブル取出口が形成された配線補助板等、複数の配線補助板を用意しておけば、筐体を共通化することができるという利点がある（例えば、特許文献１参照）。
また、電子機器筐体の入線部構造として、筐体に複数種類（外径）のケーブルに対応した入線孔を形成するため、同心円状に配置された円弧状溝（スリット）からなるノックアウト構造が開示されている。かかるノックアウト構造は、内径側の円弧状溝に包囲された範囲（ノックアウト片）の厚さを、外径側の円弧状溝に包囲された範囲（ノックアウト片）の厚さよりも薄くして、内側のノックアウト片の除去に伴って外側のノックアウト片が除去されないようにしている（例えば、特許文献２参照）。
【先行技術文献】
【特許文献】
【０００４】
【特許文献１】実開昭６２−７７７３３号公報（第４−６頁、第１図）
【特許文献２】実登第３０２３３０１号公報（第６−７頁、第１図）
【発明の概要】
【発明が解決しようとする課題】
【０００５】
特許文献１に開示された発明は、部品点数が増加する（実際に使用しない配線補助板を用意する必要がある）ことになり、空気調和機のコスト低廉化に逆行するという問題があった。
また、特許文献２に開示された発明は、ノックアウト構造を設ける位置を最小に抑えることができることから、意匠性（美観）を阻害するおそれが無くなるものの、ノックアウト構造内の板厚を複数種類に変更する必要があるため、板材（鋼板等）によって形成される空気調和機室外機の筐体には適用することができないという問題があった。
さらに、特許文献２に記載された従来技術は、内側のノックアウト構造を内径側ノックアウト片の厚さと外径側のノックアウト片の厚さを同じにしているため、内側のノックアウト片の除去に伴って外側のノックアウト片が除去されたり変形したりするという問題があった。
【０００６】
本発明は、上記のような問題を解決するためになされたものであって、略同心円のピッチ円上にそれぞれ配置されたスリットからなるノックアウト構造であって、内径側の孔を形成する際、内周側のスリットと外径側のスリットとの間の環状部分の変形を抑えることができる空気調和機室外機のノックアウト構造を得るものである。
【課題を解決するための手段】
【０００７】
本発明に係る空気調和機室外機のノックアウト構造は、空気調和機室外機の筐体側面に形成され、略同心円の複数のピッチ円上にそれぞれ配置されたスリットからなるノックアウトであって、前記複数のピッチ円のうちの所定のピッチ円における前記スリット同士の間に形成された接続部と、前記ピッチ円の外周側または内周側に位置するピッチ円における前記スリット同士の間に形成された接続部との位相が、円周方向で相違することを特徴とする。
【発明の効果】
【０００８】
本発明に係る空気調和機室外機のノックアウト構造は、内周側のスリット同士の間に形成された接続部と外周側のスリット同士の間に形成された接続部との位相が、円周方向で相違しているから、内径側の孔を形成する際、内周側のスリットと外径側のスリットとの間の環状部分の変形を抑えることができる。
【図面の簡単な説明】
【０００９】
【図１】本発明の実施の形態１に係る空気調和機室外機のノックアウト構造を有する空気調和機室外機を示す斜視図。
【図２】図１に示す空気調和機室外機におけるノックアウト構造を示す正面図。
【図３】本発明の実施の形態２に係る空気調和機室外機のノックアウト構造を示す正面図。
【図４】本発明の実施の形態３に係る空気調和機室外機のノックアウト構造を示す正面図。
【図５】本発明の実施の形態４に係る空気調和機室外機のノックアウト構造を示す正面図。
【図６】本発明の実施の形態５に係る空気調和機室外機のノックアウト構造を示す正面図。
【発明を実施するための形態】
【００１０】
［実施の形態１］
図１および図２は本発明の実施の形態１に係る空気調和機室外機のノックアウト構造を説明するものであって、図１は空気調和機室外機を示す斜視図、図２はノックアウト構造を示す正面図である。なお、各図は模式的に描いたものであって、本発明は図示された形態に限定するものではない。特に、スリットの幅は、広く誇張して描いている。
【００１１】
（空気調和機室外機）
図１において、空気調和機室外機１００は、内部に図示しない圧縮機等を収納する筐体１１０を有し、筐体１１０を形成する鋼板製の外郭正面パネル１２０に、ノックアウト構造２０１が形成されている。
【００１２】
（ノックアウト構造）
図２において、ノックアウト構造２０１は、中心を「Ｏ（オー）」とする内周ピッチ円１ｐ上に形成された半円状の内周スリット１ａ、１ｂと、中心を「Ｏ（オー）」とする外周ピッチ円２ｐ上に形成された半円状の外周スリット２ａ、２ｂと、によって形成されている。そして、内周スリット１ａと内周スリット１ｂとの間には内周接続部１ｕ、１ｖが形成され、外周スリット２ａと外周スリット２ｂとの間には外周接続部２ｕ、２ｖが形成されている。このとき、内周接続部１ｕ、１ｖと外周接続部２ｕ、２ｖとは、円周方向で９０°位相が相違している。
【００１３】
このため、外径が細いコンジット（図示しない）を使用する場合には、内周ピッチ円１ｐによって包囲された範囲（ノックアウト片に同じ）を開孔し、外径が太いコンジット（図示しない）を使用する場合には、外周ピッチ円２ｐによって包囲された範囲を開孔する。すなわち、筐体１１０に２種類（外径）のコンジット用の電源ケーブル取出口を形成することなく、２種類（外径）のコンジットを使用することが可能であるから、空気調和機室外機を形成する部材の共通化を進めることができる。
そして、内周接続部１ｕ、１ｖを破断して内周ピッチ円１ｐによって包囲された範囲を開孔する際、内周接続部１ｕ、１ｖと外周接続部２ｕ、２ｖとの位相が一致していない（一直線上に配置されていない）ため、内周ピッチ円１ｐと外周ピッチ円２ｐとの間の環状部分１２の変形が抑えられる。すなわち、外周スリット２ａ、２ｂの変形（幅が部分的に拡大または縮小）が抑えられ、環状部分１２が外郭正面パネル１２０と同一面に維持され、電源ケーブル取出口の周囲の意匠性が阻害されることが防止される。
【００１４】
なお、以上は、内周スリット１ａ、１ｂおよび外周スリット２ａ、２ｂは、スリット幅（半径方向の幅）が同じであって、内周接続部１ｕ、１ｖおよび外周接続部２ｕ、２ｖは円周方向の長さを同じにしているが、本発明はこれに限定するものではない。例えば、内周接続部１ｕ、１ｖの円周方向の長さを外周接続部２ｕ、２ｖの円周方向の長さよりも短くしたり、内周接続部１ｕ、１ｖの半径方向の長さを外周接続部２ｕ、２ｖの半径方向の長さよりも長くしたり（内周スリット１ａ、１ｂのスリット幅を外周スリット２ａ、２ｂのスリット幅よりも大きくするに同じ）して、内周接続部１ｕ、１ｖの破断をより容易にしてもよい。
なお、以上は、２条の内周スリット１ａ、１ｂと２条の外周スリット２ａ、２ｂによって形成されているが、本発明はこれに限定するものではなく、それぞれ３条以上（接続が３箇所以上）であってもよい。
【００１５】
［実施の形態２］
図３は本発明の実施の形態２に係る空気調和機室外機のノックアウト構造を示す正面図である。なお、実施の形態１と同じ部分または相当する部分には同じ符号を付し、一部の説明を省略する。
実施の形態２に係る空気調和機室外機のノックアウト構造２０２は、空気調和機室外機１００の筐体１１０を形成する鋼板製の外郭正面パネル１２０（図１参照）に形成されている。
【００１６】
図３において、ノックアウト構造２０２は、中心を「Ｏ（オー）」とする内周ピッチ円１ｐ上に形成された略半円状の内周スリット１ａ、１ｂと、中心を「Ｏ（オー）」とする外周ピッチ円２ｐ上に形成された略１／４円状の外周スリット２ａ、２ｂ、２ｃ、２ｄと、によって形成されている。そして、内周ピッチ円１ｐ上には内周接続部１ｕ、１ｖが形成され、外周ピッチ円２ｐ上には外周接続部２ｕ、２ｖ、２ｗ、２ｘが形成されている。このとき、内周接続部１ｕと外周接続部２ｕ、２ｘとは、円周方向で４５°位相が相違し、内周接続部１ｖと外周接続部２ｖ、２ｗとは、円周方向で４５°位相が相違している。
【００１７】
すなわち、実施の形態１に示すノックアウト構造２０１に対して、外周ピッチ円２ｐ上の接続箇所を増加したものである。したがって、内周接続部１ｕ、１ｖを破断して内周ピッチ円１ｐによって包囲された範囲を開孔する際、外周ピッチ円２ｐ上には内周接続部１ｕ、１ｖと位相が相違する外周接続部２ｕ、２ｖ、２ｗ、２ｘが形成されている（外周接続部２ｗ、２ｘが追加されている）から、環状部分１２の変形がさらに抑えられる。すなわち、外周スリット２ａ、２ｂ、２ｃ、２ｄの変形（幅が部分的に拡大または縮小）がさらに抑えられ、環状部分１２が外郭正面パネル１２０とにより同一面に維持され、電源ケーブル取出口の周囲の意匠性が阻害されることが防止される。
【００１８】
なお、以上は、２条の内周スリット１ａ、１ｂと４条の外周スリット２ａ、２ｂ、２ｃ、２ｄとによって形成されているが、本発明はこれに限定するものではなく、内周スリットを３条以上、外周スリットを４条以上にして、外周スリットの数を内周スリットの数よりも（外周接続部の数を内周接続部の数よりも）多くしてもよい。
【００１９】
［実施の形態３］
図４は本発明の実施の形態３に係る空気調和機室外機のノックアウト構造を示す正面図である。なお、実施の形態１と同じ部分または相当する部分には同じ符号を付し、一部の説明を省略する。
実施の形態３に係る空気調和機室外機のノックアウト構造２０３は、空気調和機室外機１００の筐体１１０を形成する鋼板製の外郭正面パネル１２０（図１参照）に形成されている。
【００２０】
図４において、ノックアウト構造２０３は、中心を「Ｏ（オー）」とする内周ピッチ円１ｐ上に形成された略１／３円状の内周スリット１ａ、１ｂ、１ｃと、中心を「Ｏ（オー）」とする外周ピッチ円２ｐ上に形成された略１／３円状の外周スリット２ａ、２ｂ、２ｃと、中心を「Ｏ（オー）」とする最外周ピッチ円３ｐ上に形成された略１／３円状の最外周スリット３ａ、３ｂ、３ｃとによって形成されている。そして、内周ピッチ円１ｐ上には内周接続部１ｕ、１ｖ、１ｗが形成され、外周ピッチ円２ｐ上には外周接続部２ｕ、２ｖ、２ｗが形成され、最外周ピッチ円３ｐ上には最外周接続部３ｕ、３ｖ、３ｗがそれぞれ形成されている。このとき、内周接続部１ｕ、１ｖ、１ｗと外周接続部２ｕ、２ｖ、２ｗとは、円周方向で６０°位相が相違し、外周接続部２ｕ、２ｖ、２ｗと最外周接続部３ｕ、３ｖ、３ｗとは、円周方向で６０°位相が相違している。
【００２１】
すなわち、実施の形態１に示すノックアウト構造２０１に対して、同心円を３重にし、それぞれの周上に３条のスリット（３箇所の接続部）を形成したものである。したがって、内周接続部１ｕ、１ｖ、１ｗを破断して内周ピッチ円１ｐによって包囲された範囲を開孔する際、内周ピッチ円１ｐと外周ピッチ円２ｐとの間の環状部分１２および外周ピッチ円２ｐと最外周ピッチ円３ｐとの間の環状部分２３の変形が抑えられる。また、外周接続部２ｕ、２ｖ、２ｗを破断して外周ピッチ円２ｐによって包囲された範囲を開孔する際、外周ピッチ円２ｐと最外周ピッチ円３ｐとの間の環状部分２３の変形が抑えられる。よって、電源ケーブル取出口の周囲の意匠性が阻害されることが防止される。
【００２２】
なお、以上は、同心円が３重であるが、本発明はこれに限定するものではなく、４重以上であってもよい。また、実施の形態２に準じて、各円上に形成されるスリットの数を変更して、外周側の円上になるほど、スリット（接続部）の数を増やしてもよい（例えば、内周ピッチ円１ｐ上には２条、外周ピッチ円２ｐ上には３条、最外周ピッチ円３ｐ上には４条にしてもよい）。
【００２３】
［実施の形態４］
図５は本発明の実施の形態４に係る空気調和機室外機のノックアウト構造を示す正面図である。なお、実施の形態１と同じ部分または相当する部分には同じ符号を付し、一部の説明を省略する。
実施の形態４に係る空気調和機室外機のノックアウト構造２０４は、空気調和機室外機１００の筐体１１０を形成する鋼板製の外郭正面パネル１２０（図１参照）に形成されている。
【００２４】
図５において、ノックアウト構造２０４は、中心Ｏを共通にする一対の四角形状の内環状ピッチ線５ｐおよび外環状ピッチ線６ｐ上にスリットが形成されている。すなわち、内環状ピッチ線５ｐ上にコ字状の内周スリット５ａ、５ｂが形成され、外環状ピッチ線６ｐ上にコ字状の外周スリット６ａ、６ｂが形成されている。そして、内環状ピッチ線５ｐ上には内周接続部５ｕ、５ｖが形成され、外環状ピッチ線６ｐ上には外周接続部６ｕ、６ｖが形成されている。このとき、内周接続部５ｕ、５ｖと外周接続部６ｕ、６ｖとは、環状の周方向で９０°位相が相違している。
したがって、実施の形態１に示すノックアウト構造２０１と同様に、内周接続部５ｕ、５ｖを破断して内環状ピッチ線５ｐを開孔する際、内環状ピッチ線５ｐと外環状ピッチ線６ｐとの間の環状部分５６の変形が抑えられるから、電源ケーブル取出口の周囲の意匠性が阻害されることが防止される。
なお、内周接続部（内周スリット）の数および外周接続部（外周スリット）の数は、図示するものに限定するものではなく、内周スリットの形状および外周スリットの形状はコ字状に限定するものではなく、Ｌ字状や直線状にしてもよい。
【００２５】
［実施の形態５］
図６は本発明の実施の形態５に係る空気調和機室外機のノックアウト構造を示す正面図である。なお、実施の形態１と同じ部分または相当する部分には同じ符号を付し、一部の説明を省略する。
実施の形態５に係る空気調和機室外機のノックアウト構造２０５は、空気調和機室外機１００の筐体１１０を形成する鋼板製の外郭正面パネル１２０（図１参照）に形成されている。
【００２６】
図６において、ノックアウト構造２０５は、中心Ｏを共通にする３重の六角形状の内環状ピッチ線７ｐ、中間環状ピッチ線８ｐおよび外環状ピッチ線９ｐ上にスリットが形成されている。すなわち、内環状ピッチ線７ｐ上に略コ字状の内周スリット７ａ、７ｂが形成され、また、中間環状ピッチ線８ｐ上には、略Ｖ字状の中間スリット８ａ、８ｂと直線状の中間スリット８ｃ、８ｄとが形成され、さらに、外環状ピッチ線９ｐ上には略Ｖ字状の外周スリット９ａ、９ｂ、９ｃ、９ｄ、９ｅ、９ｆが形成されている。
そして、内環状ピッチ線７ｐ上には内周接続部７ｕ、７ｖが形成され、中間環状ピッチ線８ｐ上には中間接続部８ｕ、８ｖ、８ｗ、８ｘが形成され、外環状ピッチ線９ｐ上には外周接続部９ｕ、９ｖ、９ｗ、９ｘ、９ｙ、９ｚが形成されている。このとき、内周接続部７ｕ、７ｖと中間接続部８ｕ、８ｖ、８ｗ、８ｘとは、環状の周方向で６０°位相が相違し、中間接続部８ｕ、８ｖ、８ｗ、８ｘと外周接続部９ｕ、９ｖ、９ｗ、９ｘ、９ｙ、９ｚは、環状の周方向で３０°位相が相違している。
【００２７】
したがって、実施の形態３に示すノックアウト構造２０３と同様に、内周接続部７ｕ、７ｖを破断して内環状ピッチ線７ｐによって包囲された範囲を開孔する際、内環状ピッチ線７ｐと中間環状ピッチ線８ｐとの間の環状部分７８の変形が抑えられ、中間接続部８ｕ〜８ｘを破断して中間環状ピッチ線８ｐによって包囲された範囲を開孔する際、中間環状ピッチ線８ｐと外環状ピッチ線９ｐとの間の環状部分８９の変形が抑えられるから、電源ケーブル取出口の周囲の意匠性が阻害されることが防止される。
【００２８】
以上、実施の形態１〜４では同心円のピッチ円を、実施の形態５では中心を同じにする四角形ピッチ線および六角形ピッチ線を示しているが、本発明はこれに限定するものではなく、何れの形状のピッチ線であってもよい。また、同一のピッチ円またはピッチ線上に形成されるスリットは、それぞれ同一形状であるものに限定するものではなく、線対称または回転対称（中心Ｏを中心にして回転したとき、一方のスリットが他方のスリットに重なる）でなくてもよい。
【符号の説明】
【００２９】
１ａ  内周スリット、１ｂ  内周スリット、１ｐ  内周ピッチ円、１ｕ  内周接続部、１ｖ  内周接続部、２ａ  外周スリット、２ｂ  外周スリット、２ｐ  外周ピッチ円、２ｕ  外周接続部、２ｖ  外周接続部、２ｗ  外周接続部、３ａ  最外周スリット、３ｂ  最外周スリット、３ｃ  最外周スリット、３ｐ  最外周ピッチ円、３ｕ  最外周接続部、３ｖ  最外周接続部、３ｗ  最外周接続部、５ａ  内周スリット、５ｂ  内周スリット、５ｐ  内環状ピッチ線、５ｕ  内周接続部、５ｖ  内周接続部、６ａ  外周スリット、６ｂ  外周スリット、６ｐ  外環状ピッチ線、６ｕ  外周接続部、６ｖ  外周接続部、７ａ  内周スリット、７ｂ  内周スリット、７ｐ  内環状ピッチ線、７ｕ  内周接続部、７ｖ  内周接続部、８ａ  中間スリット、８ｂ  中間スリット、８ｃ  中間スリット、８ｄ  中間スリット、８ｐ  中間環状ピッチ線、８ｕ  中間接続部、８ｖ  中間接続部、８ｗ  中間接続部、８ｘ  中間接続部、９ａ  外周スリット、９ｂ  外周スリット、９ｃ  外周スリット、９ｄ  外周スリット、９ｅ  外周スリット、９ｆ  外周スリット、９ｐ  外環状ピッチ線、９ｕ  外周接続部、９ｖ  外周接続部、９ｗ  外周接続部、９ｘ  外周接続部、９ｙ  外周接続部、９ｚ  外周接続部、１２  環状部分、２３  環状部分、７８  環状部分、８９  環状部分、１００  空気調和機室外機、１１０  筐体、１２０  外郭正面パネル、２０１  ノックアウト構造（実施の形態１）、２０２  ノックアウト構造（実施の形態２）、２０３  ノックアウト構造（実施の形態３）、２０４  ノックアウト構造（実施の形態４）、２０５  ノックアウト構造（実施の形態５）。
【図１】
2013088090.tif 000003
【図２】
2013088090.tif 000004
【図３】
2013088090.tif 000005
【図４】
2013088090.tif 000006
【図５】
2013088090.tif 000007
【図６】
2013088090.tif 000008